(57)【要約】【課題】情報処理装置に接続された近距離無線通信装置の制御および他の電子装置の制御を情報処理装置側で単一の制御ラインで容易に行う。【解決手段】車載用コンピュータ１１は、携帯電話端末装置１３を制御するための制御コードデータである電話制御コードデータを生成する電話制御部４１を備える。この電話制御部４１は、電話制御コードデータを構成するコード構成データのそれぞれについて、無線通信装置１２を制御するための無線制御コードデータの先頭を表す所定の先頭データと同一であるか否かを判別し、電話制御コードデータの生成に際し、判別に基づいて先頭データと同一のコード構成データに対し先頭データと識別するための識別用データを付加する。【選択図】　　　図４
2004128645.tif 000002
【特許請求の範囲】
【請求項１】
外部機器制御端子を備え、前記外部機器制御端子および前記外部機器制御端子に接続された無線端末装置を介して移動電話端末装置に対してデータの送信を行う車載用情報処理装置であって、
前記移動電話端末装置を制御するための制御コードデータである電話制御コードデータを生成する電話制御コードデータ生成部を備え、
前記電話制御コードデータ生成部は、前記電話制御コードデータを構成するコード構成データのそれぞれについて、前記無線端末装置を制御するための無線制御コードデータの先頭を表す所定の先頭データと同一であるか否かを判別するデータ判別部と、
前記電話制御コードデータの生成に際し、前記判別に基づいて前記先頭データと同一の前記コード構成データに対し前記先頭データと識別するための識別用データを付加する識別データ付加部を有する、
ことを特徴とする車載用情報処理装置。
【請求項２】
請求項１記載の車載用情報処理装置において、
生成した前記電話制御コードデータを前記外部機器制御端子を介して前記無線端末装置に出力する制御コードデータ出力部を備えたことを特徴とする車載用情報処理装置。
【請求項３】
請求項１記載の車載用情報処理装置において、
前記無線端末装置を制御するための制御コードデータである無線制御コードデータを生成する無線制御コードデータ生成部と、
生成した前記電話制御コードデータおよび前記無線制御コードデータを前記外部機器制御端子を介して前記無線端末装置に出力する制御コードデータ出力部と、
を備えたことを特徴とする車載用情報処理装置。
【請求項４】
外部機器制御端子を備え、前記外部機器制御端子および前記外部機器制御端子に接続された無線端末装置を介して移動電話端末装置からのデータの受信を行う車載用情報処理装置であって、
前記移動電話端末装置の送信データである電話送信データに基づいて処理を行う電話データ処理部と、
前記電話送信データが前記無線端末装置を介して入力され、当該電話送信データが前記無線端末装置からの送信データを構成する制御コードデータの先頭位置を表す所定の先頭データと同一である場合に付加される識別用データを含んでいる場合に、前記識別用データを除去する識別用データ除去部と、
前記識別用データの除去後の前記電話送信データを前記電話データ処理部に転送する電話データ転送部と、
を備えたことを特徴とする車載用情報処理装置。
【請求項５】
移動電話端末装置を制御するための制御コードデータである電話制御コードデータが外部の車載用情報処理装置より入力され、当該電話制御コードデータを構成するコード構成データが無線制御コードデータの先頭位置を表す所定の先頭データと同一である場合に付加される識別用データを含んでいる場合に、前記識別用データを除去する識別用データ除去部と、
前記識別用データを除去後の前記電話制御データを移動電話端末装置に無線により送信する送信部と、
を備えたことを特徴とする無線端末装置。
【請求項６】
電話データ処理部、無線データ処理部および外部機器制御端子を備えた車載用情報処理装置に前記外部機器制御端子を介して接続された無線端末装置であって、
移動電話端末装置から前記電話データ処理部へのデータである電話送信データを無線により受信する受信部と、
前記電話送信データの構成データのそれぞれについて、前記無線データ処理部へのデータの先頭位置を表す所定の先頭データと同一であるか否かを判別するデータ判別部と、
前記電話送信データの転送に際し、前記判別に基づいて前記先頭データと同一の前記構成データに対し前記先頭データと識別するための識別用データを付加する識別データ付加部と、を有する、
ことを特徴とする無線端末装置。
【請求項７】
請求項６記載の無線端末装置において、
識別用データを付加した前記電話送信データを前記外部機器制御端子を介して前記車載用情報処理装置に出力する送信データ出力部を備えたことを特徴とする無線端末装置。
【請求項８】
外部機器制御端子を備え、前記外部機器制御端子および前記外部機器制御端子に接続された無線端末装置を介して移動電話端末装置に対してデータの送信を行う車載用情報処理装置の制御方法であって、
前記移動電話端末装置を制御するための制御コードデータである電話制御コードデータを生成する電話制御コードデータ生成過程を備え、
前記電話制御コードデータ生成過程は、前記電話制御コードデータを構成するコード構成データのそれぞれについて、前記無線端末装置を制御するための無線制御コードデータの先頭を表す所定の先頭データと同一であるか否かを判別するデータ判別過程と、
前記電話制御コードデータの生成に際し、前記判別に基づいて前記先頭データと同一の前記コード構成データに対し前記先頭データと識別するための識別用データを付加する識別データ付加過程を有する、
ことを特徴とする車載用情報処理装置の制御方法。
【請求項９】
請求項１記載の車載用情報処理装置の制御方法において、
生成した前記電話制御コードデータを前記外部機器制御端子を介して前記無線端末装置に出力する制御コードデータ出力過程を備えたことを特徴とする車載用情報処理装置の制御方法。
【請求項１０】
請求項９記載の車載用情報処理装置の制御方法において、
前記無線端末装置を制御するための制御コードデータである無線制御コードデータを生成する無線制御コードデータ生成過程と、
生成した前記電話制御コードデータおよび前記無線制御コードデータを前記外部機器制御端子を介して前記無線端末装置に出力する制御コードデータ出力過程と、
を備えたことを特徴とする車載用情報処理装置の制御方法。
【請求項１１】
外部機器制御端子を備え、前記外部機器制御端子および前記外部機器制御端子に接続された無線端末装置を介して移動電話端末装置からのデータの受信を行う車載用情報処理装置の制御方法であって、
前記移動電話端末装置の送信データである電話送信データに基づいて処理を行う電話データ処理過程と、
前記電話送信データが前記無線端末装置を介して入力され、当該電話送信データが前記無線端末装置からの送信データを構成する制御コードデータの先頭を表す所定の先頭データと同一である場合に付加される識別用データを含んでいる場合に、前記識別用データを除去する識別用データ除去過程と、
前記識別用データの除去後の前記電話送信データを前記電話データ処理過程に引き渡す電話データ転送過程と、
を備えたことを特徴とする車載用情報処理装置の制御方法。
【請求項１２】
移動電話端末装置を制御するための制御コードデータである電話制御コードデータが外部の車載用情報処理装置より入力され、当該電話制御コードデータを構成するコード構成データが無線制御コードデータの先頭を表す所定の先頭データと同一である場合に付加される識別用データを含んでいる場合に、前記識別用データを除去する識別用データ除去過程と、
前記識別用データを除去後の前記電話制御データを移動電話端末装置に無線により送信する送信過程と、
を備えたことを特徴とする無線端末装置の制御方法。
【請求項１３】
電話データ処理部、無線データ処理部および外部機器制御端子を備えた車載用情報処理装置に前記外部機器制御端子を介して接続された無線端末装置の制御方法であって、
移動電話端末装置から前記電話データ処理部へのデータである電話送信データを無線により受信する受信過程と、
前記電話送信データの構成データのそれぞれについて、前記無線データ処理部へのデータの先頭位置を表す所定の先頭データと同一であるか否かを判別するデータ判別過程と、
前記電話送信データの転送に際し、前記判別に基づいて前記先頭データと同一の前記構成データに対し前記先頭データと識別するための識別用データを付加する識別データ付加過程と、を有する、
ことを特徴とする無線端末装置の制御方法。
【請求項１４】
請求項１３記載の無線端末装置の制御方法において、
識別用データを付加した前記電話送信データを前記外部機器制御端子を介して前記車載用情報処理装置に出力する送信データ出力過程を備えたことを特徴とする無線端末装置の制御方法。
【請求項１５】
外部機器制御端子を備え、前記外部機器制御端子および前記外部機器制御端子に接続された無線端末装置を介して移動電話端末装置に対してデータの送信を行う車載用情報処理装置をコンピュータにより制御するための制御プログラムであって、
前記移動電話端末装置を制御するための制御コードデータである電話制御コードデータを生成させ、
前記電話制御コードデータを生成させるに際し、前記電話制御コードデータを構成するコード構成データのそれぞれについて、前記無線端末装置を制御するための無線制御コードデータの先頭を表す所定の先頭データと同一であるか否かを判別させ、
前記判別に基づいて前記先頭データと同一の前記コード構成データに対し前記先頭データと識別するための識別用データを付加させる、
ことを特徴とする制御プログラム。
【請求項１６】
外部機器制御端子を備え、前記外部機器制御端子および前記外部機器制御端子に接続された無線端末装置を介して移動電話端末装置からのデータの受信を行う車載用情報処理装置をコンピュータにより制御するための制御プログラムであって、
前記電話送信データが前記無線端末装置を介して入力され、当該電話送信データが前記無線端末装置からの送信データを構成する制御コードデータの先頭を表す所定の先頭データと同一である場合に付加される識別用データを含んでいる場合に、前記識別用データを除去させ、
前記識別用データの除去後の前記電話送信データに基づいて処理を行わせる、
ことを特徴とする制御プログラム。
【請求項１７】
コンピュータにより無線端末装置を制御するための制御プログラムであって、
移動電話端末装置を制御するための制御コードデータである電話制御コードデータが外部の車載用情報処理装置より入力され、当該電話制御コードデータを構成するコード構成データが無線制御コードデータの先頭を表す所定の先頭データと同一である場合に付加される識別用データを含んでいる場合に、前記識別用データを除去させ、
前記識別用データを除去後の前記電話制御データを移動電話端末装置に無線により送信させる、
ことを特徴とする制御プログラム。
【請求項１８】
電話データ処理部、無線データ処理部および外部機器制御端子を備えた車載用情報処理装置に前記外部機器制御端子を介して接続された無線端末装置をコンピュータにより制御するための制御プログラムであって、
移動電話端末装置から前記電話データ処理部へのデータである電話送信データを無線により受信させ、
前記電話送信データの構成データのそれぞれについて、前記無線データ処理部へのデータの先頭位置を表す所定の先頭データと同一であるか否かを判別させ、前記電話送信データの転送に際し、前記判別に基づいて前記先頭データと同一の前記構成データに対し前記先頭データと識別するための識別用データを付加させる、
ことを特徴とする制御プログラム。
【請求項１９】
請求項１５ないし請求項１８のいずれかに記載の制御プログラムを記録したことを特徴とするコンピュータ読取可能な記録媒体。
【発明の詳細な説明】
【０００１】
【発明の属する技術分野】
本発明は、車載用情報処理装置および無線端末装置並びにそれらの制御方法、制御プログラムおよび記録媒体に係り、特にｂｌｕｅｔｏｏｔｈ（登録商標）などの近距離無線通信技術を用いて車載用機器と携帯電話端末との間でデータ通信を行うための技術に関する。
【０００２】
【従来の技術】
従来より携帯型パーソナルコンピュータなどの情報処理装置に近距離無線通信装置をケーブルなどで接続し、この近距離無線通信装置を介して他の電子装置との間で通信を行わせることが行われている。具体的には、例えば、特許文献１にこのような構成が開示されている。
【０００３】
【特許文献１】
特開２００１−２７４８７８号公報
【０００４】
【発明が解決しようとする課題】
このような場合においては、近距離無線通信を介した実際の電子装置の制御は、近距離無線通信装置が独自に行っており、情報処理装置側としては、単一の制御ラインで制御可能ではあるが、あらかじめ定めた通信プロトコルにより、近距離無線通信装置が実装している機能を実現させるべく処理を依頼しているに過ぎなかった。
【０００５】
従って、通信相手の他の電子装置が様々な処理を提供可能な場合であっても、近距離無線通信装置が実装していない機能については、情報処理装置側で処理を行わせることはできないという不具合があった。
【０００６】
そこで、本発明の目的は、情報処理装置に接続された近距離無線通信装置の制御および他の電子装置の制御を情報処理装置側で単一の制御ラインを介して容易に行うことができる車載用情報処理装置および無線端末装置並びにそれらの制御方法、制御プログラムおよび記録媒体を提供することにある。
【０００７】
【課題を解決するための手段】
上記課題を解決するため、外部機器制御端子を備え、前記外部機器制御端子および前記外部機器制御端子に接続された無線端末装置を介して移動電話端末装置に対してデータの送信を行う車載用情報処理装置は、前記移動電話端末装置を制御するための制御コードデータである電話制御コードデータを生成する電話制御コードデータ生成部を備え、前記電話制御コードデータ生成部は、前記電話制御コードデータを構成するコード構成データのそれぞれについて、前記無線端末装置を制御するための無線制御コードデータの先頭を表す所定の先頭データと同一であるか否かを判別するデータ判別部と、前記電話制御コードデータの生成に際し、前記判別に基づいて前記先頭データと同一の前記コード構成データに対し前記先頭データと識別するための識別用データを付加する識別データ付加部を有する、ことを特徴としている。
【０００８】
上記構成によれば、電話制御コードデータ生成部のデータ判別部は、電話制御コードデータを構成するコード構成データのそれぞれについて、前記無線端末装置を制御するための無線制御コードデータの先頭を表す所定の先頭データと同一であるか否かを判別する。
【０００９】
識別データ付加部は、電話制御コードデータの生成に際し、判別に基づいて先頭データと同一のコード構成データに対し先頭データと識別するための識別用データを付加する。
【００１０】
この場合において、生成した前記電話制御コードデータを前記外部機器制御端子を介して前記無線端末装置に出力する制御コードデータ出力部を備えるようにしてもよい。
【００１１】
また、前記無線端末装置を制御するための制御コードデータである無線制御コードデータを生成する無線制御コードデータ生成部と、生成した前記電話制御コードデータおよび前記無線制御コードデータを前記外部機器制御端子を介して前記無線端末装置に出力する制御コードデータ出力部と、を備えるようにしてもよい。
【００１２】
また、外部機器制御端子を備え、前記外部機器制御端子および前記外部機器制御端子に接続された無線端末装置を介して移動電話端末装置からのデータの受信を行う車載用情報処理装置は、前記移動電話端末装置の送信データである電話送信データに基づいて処理を行う電話データ処理部と、前記電話送信データが前記無線端末装置を介して入力され、当該電話送信データが前記無線端末装置からの送信データを構成する制御コードデータの先頭位置を表す所定の先頭データと同一である場合に付加される識別用データを含んでいる場合に、前記識別用データを除去する識別用データ除去部と、前記識別用データの除去後の前記電話送信データを前記電話データ処理部に転送する電話データ転送部と、を備えたことを特徴としている。
【００１３】
上記構成によれば、識別用データ除去部は、電話送信データが無線端末装置を介して入力され、当該電話送信データが無線端末装置からの送信データを構成する制御コードデータの先頭位置を表す所定の先頭データと同一である場合に付加される識別用データを含んでいる場合に、識別用データを除去する。
【００１４】
これにより電話データ転送部は、識別用データの除去後の電話送信データを電話データ処理部に転送し、電話データ処理部は、転送された電話送信データに基づいて処理を行う。
【００１５】
また、無線端末装置は、移動電話端末装置を制御するための制御コードデータである電話制御コードデータが外部の車載用情報処理装置より入力され、当該電話制御コードデータを構成するコード構成データが無線制御コードデータの先頭位置を表す所定の先頭データと同一である場合に付加される識別用データを含んでいる場合に、前記識別用データを除去する識別用データ除去部と、前記識別用データを除去後の前記電話制御データを移動電話端末装置に無線により送信する送信部と、を備えたことを特徴としている。
【００１６】
上記構成によれば、識別用データ除去部は、移動電話端末装置を制御するための制御コードデータである電話制御コードデータが外部の車載用情報処理装置より入力され、当該電話制御コードデータを構成するコード構成データが無線制御コードデータの先頭位置を表す所定の先頭データと同一である場合に付加される識別用データを含んでいる場合に、識別用データを除去して、送信部に転送する。
【００１７】
これにより送信部は、識別用データを除去後の電話制御データを移動電話端末装置に無線により送信する。
【００１８】
また、電話データ処理部、無線データ処理部および外部機器制御端子を備えた車載用情報処理装置に前記外部機器制御端子を介して接続された無線端末装置は、移動電話端末装置から前記電話データ処理部へのデータである電話送信データを無線により受信する受信部と、前記電話送信データの構成データのそれぞれについて、前記無線データ処理部へのデータの先頭位置を表す所定の先頭データと同一であるか否かを判別するデータ判別部と、前記電話送信データの転送に際し、前記判別に基づいて前記先頭データと同一の前記構成データに対し前記先頭データと識別するための識別用データを付加する識別データ付加部と、を有する、ことを特徴としている。
【００１９】
上記構成によれば、受信部は、移動電話端末装置から電話データ処理部へのデータである電話送信データを無線により受信し、データ判別部に出力する。
【００２０】
データ判別部は、電話送信データの構成データのそれぞれについて、無線データ処理部へのデータの先頭位置を表す所定の先頭データと同一であるか否かを判別する。
【００２１】
これにより、識別データ付加部は、電話送信データの転送に際し、判別に基づいて先頭データと同一の構成データに対し前記先頭データと識別するための識別用データを付加する。
【００２２】
この場合において、識別用データを付加した前記電話送信データを前記外部機器制御端子を介して前記車載用情報処理装置に出力する送信データ出力部を備えるようにしてもよい。
【００２３】
また、外部機器制御端子を備え、前記外部機器制御端子および前記外部機器制御端子に接続された無線端末装置を介して移動電話端末装置に対してデータの送信を行う車載用情報処理装置の制御方法は、前記移動電話端末装置を制御するための制御コードデータである電話制御コードデータを生成する電話制御コードデータ生成過程を備え、前記電話制御コードデータ生成過程は、前記電話制御コードデータを構成するコード構成データのそれぞれについて、前記無線端末装置を制御するための無線制御コードデータの先頭を表す所定の先頭データと同一であるか否かを判別するデータ判別過程と、前記電話制御コードデータの生成に際し、前記判別に基づいて前記先頭データと同一の前記コード構成データに対し前記先頭データと識別するための識別用データを付加する識別データ付加過程を有する、ことを特徴としている。
【００２４】
この場合において、生成した前記電話制御コードデータを前記外部機器制御端子を介して前記無線端末装置に出力する制御コードデータ出力過程を備えるようにしてもよい。
【００２５】
また、前記無線端末装置を制御するための制御コードデータである無線制御コードデータを生成する無線制御コードデータ生成過程と、生成した前記電話制御コードデータおよび前記無線制御コードデータを前記外部機器制御端子を介して前記無線端末装置に出力する制御コードデータ出力過程と、を備えるようにしてもよい。
【００２６】
また、外部機器制御端子を備え、前記外部機器制御端子および前記外部機器制御端子に接続された無線端末装置を介して移動電話端末装置からのデータの受信を行う車載用情報処理装置の制御方法は、前記移動電話端末装置の送信データである電話送信データに基づいて処理を行う電話データ処理過程と、前記電話送信データが前記無線端末装置を介して入力され、当該電話送信データが前記無線端末装置からの送信データを構成する制御コードデータの先頭を表す所定の先頭データと同一である場合に付加される識別用データを含んでいる場合に、前記識別用データを除去する識別用データ除去過程と、前記識別用データの除去後の前記電話送信データを前記電話データ処理過程に引き渡す電話データ転送過程と、を備えたことを特徴としている。
【００２７】
また、移動電話端末装置を制御するための制御コードデータである電話制御コードデータが外部の車載用情報処理装置より入力され、当該電話制御コードデータを構成するコード構成データが無線制御コードデータの先頭を表す所定の先頭データと同一である場合に付加される識別用データを含んでいる場合に、前記識別用データを除去する識別用データ除去過程と、前記識別用データを除去後の前記電話制御データを移動電話端末装置に無線により送信する送信過程と、を備えたことを特徴としている。
【００２８】
また、電話データ処理部、無線データ処理部および外部機器制御端子を備えた車載用情報処理装置に前記外部機器制御端子を介して接続された無線端末装置の制御方法は、移動電話端末装置から前記電話データ処理部へのデータである電話送信データを無線により受信する受信過程と、前記電話送信データの構成データのそれぞれについて、前記無線データ処理部へのデータの先頭位置を表す所定の先頭データと同一であるか否かを判別するデータ判別過程と、前記電話送信データの転送に際し、前記判別に基づいて前記先頭データと同一の前記構成データに対し前記先頭データと識別するための識別用データを付加する識別データ付加過程と、を有することを特徴としている。
【００２９】
この場合において、識別用データを付加した前記電話送信データを前記外部機器制御端子を介して前記車載用情報処理装置に出力する送信データ出力過程を備えるようにしてもよい。
【００３０】
外部機器制御端子を備え、前記外部機器制御端子および前記外部機器制御端子に接続された無線端末装置を介して移動電話端末装置に対してデータの送信を行う車載用情報処理装置をコンピュータにより制御するための制御プログラムは、前記移動電話端末装置を制御するための制御コードデータである電話制御コードデータを生成させ、前記電話制御コードデータを生成させるに際し、前記電話制御コードデータを構成するコード構成データのそれぞれについて、前記無線端末装置を制御するための無線制御コードデータの先頭を表す所定の先頭データと同一であるか否かを判別させ、前記判別に基づいて前記先頭データと同一の前記コード構成データに対し前記先頭データと識別するための識別用データを付加させる、ことを特徴としている。
【００３１】
また、外部機器制御端子を備え、前記外部機器制御端子および前記外部機器制御端子に接続された無線端末装置を介して移動電話端末装置からのデータの受信を行う車載用情報処理装置をコンピュータにより制御するための制御プログラムは、前記電話送信データが前記無線端末装置を介して入力され、当該電話送信データが前記無線端末装置からの送信データを構成する制御コードデータの先頭を表す所定の先頭データと同一である場合に付加される識別用データを含んでいる場合に、前記識別用データを除去させ、前記識別用データの除去後の前記電話送信データに基づいて処理を行わせる、ことを特徴としている。
【００３２】
また、コンピュータにより無線端末装置を制御するための制御プログラムは、移動電話端末装置を制御するための制御コードデータである電話制御コードデータが外部の車載用情報処理装置より入力され、当該電話制御コードデータを構成するコード構成データが無線制御コードデータの先頭を表す所定の先頭データと同一である場合に付加される識別用データを含んでいる場合に、前記識別用データを除去させ、前記識別用データを除去後の前記電話制御データを移動電話端末装置に無線により送信させる、ことを特徴としている。
【００３３】
また、電話データ処理部、無線データ処理部および外部機器制御端子を備えた車載用情報処理装置に前記外部機器制御端子を介して接続された無線端末装置をコンピュータにより制御するための制御プログラムは、移動電話端末装置から前記電話データ処理部へのデータである電話送信データを無線により受信させ、前記電話送信データの構成データのそれぞれについて、前記無線データ処理部へのデータの先頭位置を表す所定の先頭データと同一であるか否かを判別させ、前記電話送信データの転送に際し、前記判別に基づいて前記先頭データと同一の前記構成データに対し前記先頭データと識別するための識別用データを付加させる、ことを特徴としている。
【００３４】
また、上記各制御プログラムをコンピュータ読取可能な記録媒体に記録するようにしてもよい。
【００３５】
【発明の実施の形態】
次に本発明の好適な実施の形態について図面を参照して説明する。
【００３６】
図１は、実施形態の車載用情報処理システムの概要構成ブロック図である。以下の説明においては、近距離無線通信技術としてｂｌｕｅｔｏｏｔｈ技術を用いるものとする。
【００３７】
車載用情報処理システム１０は、大別すると、車両に固定的に搭載される車載用コンピュータ（車載用情報処理装置）１１と、車載用コンピュータ１１の外部機器接続端子１１Ａに接続ケーブルを介して接続され、ｂｌｕｅｔｏｏｔｈのワイヤレスインターフェイス規格に基づいて無線通信を行う無線通信装置１２と、ｂｌｕｅｔｏｏｔｈのワイヤレスインターフェイス規格に則った無線通信ユニット１３Ａを内蔵した携帯電話端末装置（移動電話端末装置）１３と、を備えている。
【００３８】
図２は車載用コンピュータの概要構成ブロック図である。
【００３９】
車載用コンピュータ１１は、通信インターフェース部１５と、操作部１６と、ＭＰＵ１７と、ＲＯＭ１８と、ＲＡＭ１９と、ディスプレイコントローラ２０と、ディスプレイ２１と、外部記憶装置２２と、を備えている。
【００４０】
通信インターフェース部１５は、外部機器接続端子１１Ａに接続ケーブル２３を介して接続された無線通信装置１２との間でデータの入出力制御を行う。
【００４１】
操作部１２は、キーボード、タッチパネルあるいはリモートコントロール装置として構成され、ユーザが各種コマンドや設定情報の入力を行う。
【００４２】
ＭＰＵ１６は車載用情報処理システム１０全体の制御を行う。
【００４３】
ＲＯＭ１７は、ＭＰＵ１６が制御を行うための制御プログラムなどが格納されている。
【００４４】
ＲＡＭ１８は、ＭＰＵ１６のワーキングエリアとして用いられるとともに、ユーザの入力データなどを一時的に格納する。
【００４５】
ディスプレイコントローラ２０は、ＭＰＵ１６の制御下で、ディスプレイ２１を制御し、各種情報を表示させる。
【００４６】
外部記憶装置２２は、ハードディスク、光ディスク（書込可能なＤＶＤ、書込可能なＣＤなど）、半導体メモリなどにより構成され、各種アプリケーションプログラムなどのプログラム、テキストデータ、画像データ、音声等の各種データを記憶する。
【００４７】
図３は無線通信装置の概要構成ブロック図である。
【００４８】
無線通信装置１２は、通信インターフェース部２５と、操作部２６と、ＭＰＵ２７と、ＲＯＭ２８と、ＲＡＭ２９と、表示部３０と、無線通信部３１と、を備えている。
【００４９】
通信インターフェース部２５は、車載用コンピュータ１１の外部機器接続端子１１Ａに接続ケーブルを介して接続された無線通信装置１２との間でデータの入出力制御を行う。
【００５０】
操作部２６は、複数の操作スイッチで構成され、ユーザが各種設定変更や操作入力を行う。
【００５１】
ＭＰＵ２７は無線通信装置１２全体の制御を行う。
【００５２】
ＲＯＭ２８は、ＭＰＵ２７が制御を行うための制御プログラムなどが格納されている。
【００５３】
ＲＡＭ２９は、ＭＰＵ２７のワーキングエリアとして用いられるとともに、ユーザの入力データなどを一時的に格納する。
【００５４】
表示部３０は、状態表示用のＬＥＤなどを備え、ＭＰＵ２７の制御下で、各種動作状態を表示する。
【００５５】
無線通信部３１は、ＭＰＵ２７の制御下でｂｌｕｅｔｏｏｔｈのワイヤレスインターフェイス規格に基づいた無線通信を携帯電話端末装置１３との間で行う。
【００５６】
図４は車載用情報処理システムの概要機能ブロック図である。
【００５７】
車載用コンピュータ１１は、図４に示すように、大別すると、電話制御部４１、無線管理制御部４２、データ送受信部４３を備えている。
【００５８】
電話制御部４１は、携帯電話端末装置１３を制御するための制御コードデータである電話制御コードデータを生成する電話制御コードデータ生成部として機能するとともに、携帯電話端末装置１３からの応答状態に応じて各種処理を行う。
【００５９】
無線管理制御部４２は、無線通信装置１２を制御するための制御コードデータである無線制御コードデータを生成する無線制御コードデータ生成部として機能するとともに、無線通信装置１２からの応答状態に応じて各種処理を行う。
【００６０】
データ送受信部４３は、電話制御部４１が生成した電話制御コードデータおよび無線制御部４２が生成した無線制御コードデータを外部機器接続端子１１Ａを介して無線通信装置１２に出力する制御コードデータ出力部として機能するとともに、各種データの送受信処理を行う。
【００６１】
ここで、データ送受信部４３は、電話制御コードデータを構成するコード構成データのそれぞれについて、無線通信装置１２を制御するための無線制御コードデータの先頭データと同一であるか否かを判別する同一性判別部および電話制御コードデータの生成に際し、同一性判別部の判別に基づいて先頭データと同一のコード構成データに対し先頭データと識別するための識別用データを付加する識別データ付加部として機能している。
【００６２】
無線通信装置１２は、図４に示すように、大別すると、データ送受信部５１、無線通信部５２および無線制御部５３を備えている。
【００６３】
データ送受信部５１は、車載用コンピュータ１１からの電話制御コードデータおよび無線制御コードデータが入力され、携帯電話端末装置１３からの各種データが入力される。
【００６４】
無線通信部５２は、携帯電話端末装置１３の無線通信ユニット１３Ａとの間でｂｌｕｅｔｏｏｔｈ技術に則った無線通信を行う。
【００６５】
無線制御部５３は、無線通信部５２を制御するとともに、無線通信装置１２からの応答状態に応じて各種処理を行う。
【００６６】
次に実施形態の動作について説明する。
【００６７】
図５ないし図８は実施形態のシーケンスフローチャートである。また、図９は送信側装置の処理フローチャートである。さらに、図１０は受信側装置の処理フローチャートである。
【００６８】
まず、無線管理制御部４２は、図５に示すように、無線状態問い合わせ命令に対応する無線制御コマンドデータである
「ＢＴ＋ＣＩＮＤ？［ＣＲ］」
を生成する（ステップＳ１）。ここで、「ＢＴ」は、これに続くデータが無線制御コマンドデータであることを示す識別用データである。また、符号「＋」は複数存在する無線制御コマンドを分類するたものコードであり、コマンドの一部として扱われることとなる。また、「ＣＩＮＤ？」は、無線状態問い合わせ命令である。また、「［ＣＲ］」は、当該無線制御コマンドデータの終りを示すためのデータであり、実際には、１バイトのデータである。
【００６９】
次に無線管理制御部４２は、無線状態問い合わせ命令に対応する無線制御コマンドデータをデータ送受信部４３に出力する（ステップＳ２）。
【００７０】
データ送受信部は４３は、図９の送信側装置の処理フローチャートに則してデータを送信する（ステップＳ３）。
【００７１】
より詳細には、データ送受信部は４３は、実際の送信データ「ＢＴＣＩＮＤ？［ＣＲ］」のうち先頭から順番に一つづつデータを送信する。
【００７２】
すなわち、データ送受信部４３は、「Ｂ」を送信する（ステップＳ５１）。
【００７３】
次にデータ送受信部は４３は、送信データの依頼元が電話制御部４１あるいは無線管理制御部４２のいずれかであるかを判別する（ステップＳ５２）。
【００７４】
この場合には、依頼元が無線管理制御部４２であるので（ステップＳ５２；Ｙｅｓ）、処理をステップＳ５１に移行する。
【００７５】
そして、以下、同様にして残りのデータである「Ｔ＋ＣＩＮＤ？［ＣＲ］」を送信することとなる（ステップＳ５１、ステップＳ５２）。
【００７６】
これらの結果、送信データ「ＢＴ＋ＣＩＮＤ？［ＣＲ］」はそのまま、接続ケーブルを介して無線通信装置１２に送信されることとなる（ステップＳ４）。
【００７７】
無線通信装置１２のデータ送受信部５１は、データ「ＢＴ＋ＣＩＮＤ？［ＣＲ］」を構成するデータを受信すると、当該データは無線制御コマンドデータであるので、そのまま無線制御部５３に転送する（ステップＳ５）。
【００７８】
より詳細には、データ送受信部５１は、受信データ「ＢＴ＋ＣＩＮＤ？［ＣＲ］」のうち先頭から順番に一つづつデータを受信する。
【００７９】
すなわち、データ送受信部５１は、「Ｂ」を受信する（ステップＳ６１）。
【００８０】
次にデータ送受信部５１は、受信したデータが「Ｂ」であるか否かを判別する（ステップＳ６２）。
【００８１】
ステップＳ６２の判別において、受信したデータは「Ｂ」であるので（ステップＳ６２；Ｙｅｓ）、さらに一つのデータを受信する（ステップＳ６３）。
【００８２】
次にデータ送受信部５１は、受信したデータが「Ｔ」であるか否かを判別する（ステップＳ６４）。これは、連続して受信した二つのデータが「ＢＴ」であるか否か、すなわち、当該受信すべきデータ列が無線制御データであるか否かを判別するためである。
【００８３】
この場合、受信したデータが「Ｔ」であるので（ステップＳ６４；Ｙｅｓ）、受信すべきデータ列は、無線制御データであるので、受信したデータ「ＢＴ」を無線制御部５３に転送する（ステップＳ６５）。
【００８４】
次にデータ送受信部５１は、残りの送信データ「ＣＩＮＤ？［ＣＲ］」のうち先頭から順番に一つづつデータを受信する（ステップＳ６６）。すなわち、「＋」、「Ｃ」、「Ｉ」、「Ｎ」、「Ｄ」、「？」、「［ＣＲ］」の順番で受信がなされることとなる。
【００８５】
そして、データ送受信部５１は、受信したデータを無線制御部５３に転送する（ステップＳ６７）。
【００８６】
次にデータ送受信部５１は、受信したデータが「［ＣＲ］」であるか否かを判別する（ステップＳ６８）。
【００８７】
ステップＳ６８の判別において、受信したデータが「［ＣＲ］」ではない場合には（ステップＳ６８；Ｎｏ）、処理をステップＳ６６に移行し、次のデータを受信して無線制御部５３に転送する動作を繰り返す。そして、ステップＳ６８の判別において、受信したデータが「［ＣＲ］」である場合には（ステップＳ６８；Ｙｅｓ）、再び処理をステップＳ６１に移行することとなる。この場合には、「＋」の受信、無線制御部５３への転送、「Ｃ」の受信、無線制御部５３への転送、「Ｉ」、の受信、無線制御部５３への転送、「Ｎ」の受信、無線制御部５３への転送、「Ｄ」の受信、無線制御部５３への転送、「？」の受信、無線制御部５３への転送、「［ＣＲ］」の受信の順番で処理を行い、ステップＳ６１に移行することとなる。
【００８８】
これらの結果、無線制御部５３に「ＢＴ＋ＣＩＮＤ？［ＣＲ］」が転送されることとなる（ステップＳ６）。
【００８９】
そして無線制御部５３は、無線状態問い合わせ命令に対応するデータ「ＢＴ＋ＣＩＮＤ？［ＣＲ］」を受信すると、当該無線状態問い合わせ命令を受け付け（ステップＳ７）、無線通信部５２に対して、状態問い合わせを行う（ステップＳ８）。
【００９０】
そして無線通信部５２から状態返答がなされると、無線制御部５３は、図６に示すように、無線状態通知命令に対応する無線制御コマンドデータである
「ＢＴ＋ＯＫ［ＣＲ］」
を生成する（ステップＳ１０）。ここで、「ＢＴ」は、これに続くデータが無線制御コマンドデータであることを示す識別用データである。また、符号「＋」は複数存在する無線制御コマンドを分類するためのコードであり、コマンドの一部として扱われることとなる。また、「ＯＫ」は、無線状態通知であり、この場合、無線通信可能の意味である。また、「［ＣＲ］」は、上述したように当該無線制御コマンドデータの終りを示すためのデータである。
【００９１】
次に無線制御部５３は、無線状態通知命令に対応する無線制御コマンドデータをデータ送受信部５１に出力する（ステップＳ１１）。
【００９２】
データ送受信部５１は、図９の送信側装置の処理フローチャートに則してデータを送信する（ステップＳ１２）。
【００９３】
より詳細には、データ送受信部５１は、実際の送信データ「ＢＴ＋ＯＫ［ＣＲ］」のうち先頭から順番に一つづつデータを送信する。
【００９４】
すなわち、データ送受信部５１は、「Ｂ」を送信する（ステップＳ５１）。
【００９５】
次にデータ送受信部は５１は、送信データの依頼元が無線制御部５３あるいは無線通信部５２のいずれかであるかを判別する（ステップＳ５２）。
【００９６】
この場合には、依頼元が無線制御部５３であるので（ステップＳ５２；Ｙｅｓ）、処理をステップＳ５１に移行する。
【００９７】
そして、以下、同様にして残りのデータである「Ｔ＋ＯＫ［ＣＲ］」を送信することとなる（ステップＳ５１、ステップＳ５２）。
【００９８】
これらの結果、送信データ「ＢＴ＋ＯＫ［ＣＲ］」はそのまま、接続ケーブルを介して車載用コンピュータ１１に送信されることとなる（ステップＳ１３）。
【００９９】
次に車載用コンピュータ１１のデータ送受信部は４３は、図１０の受信側装置の処理フローチャートに則してデータを受信する（ステップＳ１４）。
【０１００】
より詳細には、データ送受信部は４３は、実際の送信データ「ＢＴ＋ＯＫ［ＣＲ］」のうち先頭から順番に一つづつデータを受信する（ステップＳ６１）。
【０１０１】
次にデータ送受信部４３は、受信したデータが「Ｂ」であるか否かを判別する（ステップＳ６２）。
【０１０２】
ステップＳ６２の判別において、受信したデータは「Ｂ」であるので（ステップＳ６２；Ｙｅｓ）、さらに一つのデータを受信する（ステップＳ６３）。
【０１０３】
次にデータ送受信部４３は、受信したデータが「Ｔ」であるか否かを判別する（ステップＳ６４）。これは、連続して受信した二つのデータが「ＢＴ」であるか否か、すなわち、当該受信すべきデータ列が無線制御データであるか否かを判別するためである。
【０１０４】
この場合、受信したデータが「Ｔ」であるので（ステップＳ６４；Ｙｅｓ）、受信すべきデータ列は、無線制御データであるので、受信したデータ「ＢＴ」を無線管理制御部４２に転送する（ステップＳ６５）。
【０１０５】
次にデータ送受信部４３は、残りの送信データ「＋ＯＫ［ＣＲ］」のうち先頭から順番に一つづつデータを受信する（ステップＳ６６）。すなわち、「＋」、「Ｏ」、「Ｋ」、「［ＣＲ］」の順番で受信がなされることとなる。
【０１０６】
そして、データ送受信部４３は、受信したデータを無線管理制御部４２に転送する（ステップＳ６７）。
【０１０７】
次にデータ送受信部４３は、受信したデータが「［ＣＲ］」であるか否かを判別する（ステップＳ６８）。
【０１０８】
ステップＳ６８の判別において、受信したデータが「［ＣＲ］」ではない場合には（ステップＳ６８；Ｎｏ）、処理をステップＳ６６に移行し、次のデータを受信して無線制御部５３に転送する動作を繰り返す。そして、ステップＳ６８の判別において、受信したデータが「［ＣＲ］」である場合には（ステップＳ６８；Ｙｅｓ）、再び処理をステップＳ６１に移行することとなる。この場合には、「＋」の受信、無線管理制御部４２への転送、「Ｏ」の受信、無線管理制御部４２への転送、「Ｋ」、の受信、無線管理制御部４２への転送、［ＣＲ］」の受信、無線管理制御部４２への転送の順番で処理を行い、ステップＳ６１に移行することとなる。
【０１０９】
これらの結果、無線管理制御部４２に「ＢＴ＋ＯＫ［ＣＲ］」が転送されることとなり（ステップＳ１５）、無線管理制御部４２は、携帯電話端末装置１３の無線通信ユニット１３Ａとの間で、無線通信が可能であることを確認する（ステップＳ１６）。
【０１１０】
これに伴い、電話制御部４１は、図７に示すように、電話帳読出命令令に対応する電話制御コマンドデータである
「ＡＴ＋ＣＰＢＲ［ＣＲ］」
を生成する（ステップＳ１７）。ここで、「ＡＴ」は、これに続くデータが電話制御コマンドデータであることを示す識別用データである。また、符号「＋」は複数存在する電話制御コマンドを分類するためのコードであり、コマンドの一部として扱われることとなる。また、「ＣＰＢＲ」は、電話帳読出命令である。また、「［ＣＲ］」は、当該電話制御コマンドデータの終りを示すためのデータである。
【０１１１】
次に電話制御部４１は、電話帳読出命令に対応する電話制御コマンドデータをデータ送受信部４３に出力する（ステップＳ１８）。
【０１１２】
データ送受信部は４３は、図９の送信側装置の処理フローチャートに則してデータを送信する（ステップＳ１９）。
【０１１３】
より詳細には、データ送受信部は４３は、実際の送信データ「ＡＴ＋ＣＰＢＲ［ＣＲ］」のうち先頭から順番に一つずつデータを送信する。
【０１１４】
すなわち、データ送受信部４３は、「Ａ」を送信する（ステップＳ５１）。　次にデータ送受信部は４３は、送信データの依頼元が電話制御部４１あるいは無線管理制御部４２のいずれかであるかを判別する（ステップＳ５２）。
【０１１５】
この場合には、依頼元が電話制御部４１であるので（ステップＳ５２；Ｎｏ）、送信したデータが「Ｂ」であるか否かを判別する（ステップＳ５３）。
【０１１６】
しかしながら、この場合には、送信したデータは「Ａ」であるので（ステップＳ５３；Ｎｏ）、処理を再びステップＳ５１に移行させ、データ「Ｔ」、「＋」、「Ｃ」、「Ｐ」が同様にして順次送信される。
【０１１７】
そして、データ送受信部４３は、データ「Ｂ」を送信することとなる（ステップＳ５１）。
【０１１８】
次にデータ送受信部は４３は、送信データの依頼元が電話制御部４１あるいは無線管理制御部４２のいずれかであるかを判別する（ステップＳ５２）。
【０１１９】
この場合には、依頼元が電話制御部４１であるので（ステップＳ５２；Ｎｏ）、送信したデータが「Ｂ」であるか否かを判別する（ステップＳ５３）。
【０１２０】
この結果、送信したデータは「Ｂ」であったので（ステップＳ５３；Ｙｅｓ）、無線制御コマンドデータの先頭データである「Ｂ」と識別するための識別用データを付加すべく、データ送受信部４３は、「＿（アンダーバー）」を送信し（ステップＳ５４）、処理をステップＳ５１に移行する。
【０１２１】
そして、残りのデータである「［ＣＲ］」を送信することとなる（ステップＳ５１、ステップＳ５２）。
【０１２２】
これらの結果、送信データ「ＡＴ＋ＣＰＢＲ［ＣＲ］」は識別用データである「＿（アンダーバー）」が付加されて「ＡＴ＋ＣＰＢ＿Ｒ［ＣＲ］」として接続ケーブルを介して無線通信装置１２に送信されることとなる（ステップＳ２０）。
【０１２３】
無線通信装置１２のデータ送受信部５１は、データ「ＡＴ＋ＣＰＢ＿Ｒ［ＣＲ］」を構成するデータを受信すると、当該データは識別用データである「＿（アンダーバー）」が付加された電話制御コマンドデータであるので、「＿（アンダーバー）」を除去した後に無線制御部５３に転送する（ステップＳ２１）。
【０１２４】
より詳細には、データ送受信部５１は、受信データ「ＡＴ＋ＣＰＢ＿Ｒ［ＣＲ］」のうち先頭から順番に一つづつデータを受信する。
【０１２５】
すなわち、データ送受信部５１は、「Ａ」を受信する（ステップＳ６１）。
【０１２６】
次にデータ送受信部５１は、受信したデータが「Ｂ」であるか否かを判別する（ステップＳ６２）。
【０１２７】
ステップＳ６２の判別において、受信したデータは「Ａ」であるので（ステップＳ６２；Ｎｏ）、当該データ「Ａ」を無線通信部５２に転送し（ステップＳ６８）、処理をステップＳ６１に移行する。
【０１２８】
そしてデータ「Ｔ」、「＋」、「Ｃ」、「Ｐ」が同様にして順次無線通信部５２に転送される。
【０１２９】
次にデータ送受信部５１は、受信したデータが「Ｂ」であるか否かを判別する（ステップＳ６２）。
【０１３０】
この場合、受信したデータは「Ｂ」であるので、さらに一つのデータを受信する（ステップＳ６３）。
【０１３１】
次にデータ送受信部５１は、受信したデータが「Ｔ」であるか否かを判別する（ステップＳ６４）。これは、連続して受信した二つのデータが「ＢＴ」であるか否か、すなわち、当該受信すべきデータ列が無線制御データであるか否かを判別するためである。
【０１３２】
しかしながら、この場合、受信したデータは、識別データである「＿（アンダーバー）」であるので（ステップＳ６４；Ｎｏ）、当該「＿（アンダーバー）」を除去し、先に受信したデータ「Ｂ」のみを無線通信部５２に転送し（ステップＳ７０）、処理をステップＳ６１に移行する。
【０１３３】
次にデータ送受信部５１は、残りの送信データ「Ｒ［ＣＲ］」のうち先頭から順番に一つづつデータを受信し、同様にして無線通信部５２に転送する（ステップＳ６１、Ｓ６２、Ｓ６９）。すなわち、「Ｒ」、「［ＣＲ］」の順番で転送がなされることとなる。
【０１３４】
これらの結果、データ送受信部５１は、受信したデータ列「ＡＴ＋ＣＰＢ＿Ｒ［ＣＲ］」から識別用データである「＿（アンダーバー）」を除去した「ＡＴ＋ＣＰＢＲ［ＣＲ］」を無線通信部５２に転送することとなる（ステップＳ２２）。
【０１３５】
これにより無線通信部５２は、ｂｌｕｅｔｏｏｔｈのワイヤレスインターフェイス規格に則り、電話制御コマンドデータのデータ列「ＡＴ＋ＣＰＢＲ［ＣＲ］」を無線通信ユニット１３Ａに送信する（ステップＳ２３）。
【０１３６】
そして、無線通信ユニット１３Ａは、電話制御コマンドデータのデータ列「ＡＴ＋ＣＰＢＲ［ＣＲ］」を携帯電話端末装置１３の本体１３Ｂに転送する（ステップＳ２４）。
【０１３７】
これにより携帯電話端末装置１３の本体１３Ｂは、受信した電話帳読出命令の電話制御コマンドデータに対応する電話帳読み出し処理を行い、読み出し処理が完了したか否かの応答データを無線通信ユニット１３Ａに送出する（ステップＳ２５）。図８においては、電話帳読み出し処理が完了した旨の応答データ「＋ＢＯＢ＝ＯＫ［ＣＲ］」を無線通信ユニット１３Ａに送出した場合を示している。
【０１３８】
これにより、無線通信ユニット１３Ａは、無線を介して無線通信部５２に電話帳読み出し処理が完了した旨の応答データ「＋ＢＯＢ＝ＯＫ［ＣＲ］」を送信し（ステップＳ２６）、無線通信部５２は、そのままデータ送受信部５１に転送する（ステップＳ２７）。
【０１３９】
データ送受信部は５１は、図９の送信側装置の処理フローチャートに則してデータを送信する（ステップＳ２９）。
【０１４０】
より詳細には、データ送受信部は５１は、実際の送信データ「＋ＢＯＢ＝ＯＫ［ＣＲ］」のうち先頭から順番に一つずつデータを送信する。
【０１４１】
すなわち、データ送受信部５１は、「＋」を送信する（ステップＳ５１）。　次にデータ送受信部は５１は、送信データの依頼元が無線制御部５３あるいは無線通信部５２のいずれかであるかを判別する（ステップＳ５２）。
【０１４２】
この場合には、依頼元が無線通信部５２であるので（ステップＳ５２；Ｎｏ）、送信したデータが「Ｂ」であるか否かを判別する（ステップＳ５３）。
【０１４３】
しかしながら、この場合には、送信したデータは「＋」であるので（ステップＳ５３；Ｎｏ）、処理を再びステップＳ５１に移行させる。
【０１４４】
続いて、データ送受信部５１は、「Ｂ」を送信する（ステップＳ５１）。
【０１４５】
次にデータ送受信部は５１は、送信データの依頼元が無線制御部５３あるいは無線通信部５２のいずれかであるかを判別する（ステップＳ５２）。
【０１４６】
この場合には、依頼元が無線通信部５２であるので（ステップＳ５２；Ｎｏ）、送信したデータが「Ｂ」であるか否かを判別する（ステップＳ５３）。
【０１４７】
この場合には、送信したデータは「Ｂ」であるので（ステップＳ５３；Ｙｅｓ）、無線制御コマンドデータの先頭データである「Ｂ」と識別するための識別用データを付加すべく、データ送受信部５１は、「＿（アンダーバー）」を送信し（ステップＳ５４）、処理をステップＳ５１に移行する。
【０１４８】
続いて、データ送受信部５１は、「Ｏ」を送信する（ステップＳ５１）。
【０１４９】
次にデータ送受信部は５１は、送信データの依頼元が無線制御部５３あるいは無線通信部５２のいずれかであるかを判別する（ステップＳ５２）。
【０１５０】
この場合には、依頼元が無線通信部５２であるので（ステップＳ５２；Ｎｏ）、送信したデータが「Ｂ」であるか否かを判別する（ステップＳ５３）。
【０１５１】
しかしながら、この場合には、送信したデータは「Ｏ」であるので（ステップＳ５３；Ｎｏ）、処理を再びステップＳ５１に移行させる。
【０１５２】
続いて、データ送受信部５１は、「Ｂ」を送信する（ステップＳ５１）。
【０１５３】
次にデータ送受信部は５１は、送信データの依頼元が無線制御部５３あるいは無線通信部５２のいずれかであるかを判別する（ステップＳ５２）。
【０１５４】
この場合には、依頼元が無線通信部５２であるので（ステップＳ５２；Ｎｏ）、送信したデータが「Ｂ」であるか否かを判別する（ステップＳ５３）。
【０１５５】
この場合には、送信したデータは「Ｂ」であるので（ステップＳ５３；Ｙｅｓ）、無線制御コマンドデータの先頭データである「Ｂ」と識別するための識別用データを付加すべく、データ送受信部５１は、「＿（アンダーバー）」を送信し（ステップＳ５４）、処理をステップＳ５１に移行させ、データ「＝」、「Ｏ」、「Ｋ」、「［ＣＲ］」を送信することとなる（ステップＳ５１、ステップＳ５２）。
【０１５６】
これらの結果、送信データ「＋ＢＯＢ＝ＯＫ［ＣＲ］」は、データ「Ｂ」に続いて判別用データ「＿（アンダーバー）」が付加され、送信データ「＋Ｂ＿ＯＢ＿＝ＯＫ［ＣＲ］」として接続ケーブルを介して車載用コンピュータ１１に送信されることとなる（ステップＳ２９）。
【０１５７】
次に車載用コンピュータのデータ送受信部は４３は、図１０の受信側装置の処理フローチャートに則してデータを受信する（ステップＳ１４）。
【０１５８】
より詳細には、データ送受信部は４３は、実際の送信データ「＋Ｂ＿ＯＢ＿＝ＯＫ［ＣＲ］」のうち先頭から順番に一つづつデータを受信する（ステップＳ６１）。
【０１５９】
次にデータ送受信部４３は、受信したデータが「Ｂ」であるか否かを判別する（ステップＳ６２）。
【０１６０】
この場合に、ステップＳ６２の判別において、受信したデータは「＋」であるので（ステップＳ６２；Ｙｅｓ）、データ送受信部は、データ「＋」をそのまま電話制御部４１に送信し、処理をステップＳ６１に移行する。
【０１６１】
続いて、データ送受信部は、次のデータを受信し（ステップＳ６１）、受信したデータが「Ｂ」であるか否かを判別する（ステップＳ６２）。
【０１６２】
この場合にステップＳ６２の判別において、受信したデータは「Ｂ」であるので（ステップＳ６２；Ｙｅｓ）、さらに一つのデータを受信する（ステップＳ６３）。
【０１６３】
次にデータ送受信部４３は、受信したデータが「Ｔ」であるか否かを判別する（ステップＳ６４）。これは、連続して受信した二つのデータが「ＢＴ」であるか否か、すなわち、当該受信すべきデータ列が無線制御データであるか否かを判別するためである。
【０１６４】
しかしながら、この場合、受信したデータは、識別データである「＿（アンダーバー）」であり、「Ｔ」ではないので（ステップＳ６４；Ｎｏ）、当該「＿（アンダーバー）」を除去し、先に受信したデータ「Ｂ」のみを電話制御部４１に転送する（ステップＳ７０）。
【０１６５】
次にデータ送受信部４３は、次に受信したデータが「Ｂ」であるか否かを判別する（ステップＳ６２）。
【０１６６】
この場合に、ステップＳ６２の判別において、受信したデータは「Ｏ」であるので（ステップＳ６２；Ｙｅｓ）、データ送受信部は、データ「Ｏ」をそのまま電話制御部に送信し、処理をステップＳ６１に移行する。
【０１６７】
続いて、データ送受信部は、次のデータを受信し（ステップＳ６１）、受信したデータが「Ｂ」であるか否かを判別する（ステップＳ６２）。
【０１６８】
この場合にステップＳ６２の判別において、受信したデータは「Ｂ」であるので（ステップＳ６２；Ｙｅｓ）、さらに一つのデータを受信する（ステップＳ６３）。
【０１６９】
次にデータ送受信部４３は、受信したデータが「Ｔ」であるか否かを判別する（ステップＳ６４）。
【０１７０】
しかしながら、この場合、受信したデータは、識別データである「＿（アンダーバー）」であり、「Ｔ」ではないので（ステップＳ６４；Ｙｅｓ）、当該「＿（アンダーバー）」を除去し、先に受信したデータ「Ｂ」のみを無線通信部５２に転送する（ステップＳ６９）。
【０１７１】
次にデータ送受信部４３は、残りの送信データ「＝ＯＫ［ＣＲ］」のうち先頭から順番に一つづつデータを受信する（ステップＳ６１、ステップＳ６２）。すなわち、「＝」、「Ｏ」、「Ｋ」、「［ＣＲ］」の順番で受信がなされることとなる。
【０１７２】
そして、データ送受信部４３は、受信したデータを電話制御部４１に転送する（ステップＳ６９）。
【０１７３】
これらの結果、無線管理制御部４２に「＋ＢＯＢ＝ＯＫ［ＣＲ］」が転送されることとなり（ステップＳ３１）、電話制御部４１は、電話帳読み出し命令に対する結果を確認する（ステップＳ３２）。
【０１７４】
以上の説明のように、本実施形態によれば、情報処理装置に接続された近距離無線通信装置の制御および他の電子装置（上述の例の場合、携帯電話装置）の制御を情報処理装置側で単一の制御ラインで容易に行うことができる。
【０１７５】
以上の説明においては、電子装置として、携帯電話端末装置を用いる場合について説明したが、これに限られるものではなく、携帯型パーソナルコンピュータ、計測装置、オーディオ装置、オーディオビジュアル装置、カーナビゲーション装置（含むＧＰＳなどの測位装置）などの各種電子装置に適用することが可能である。
【０１７６】
以上の説明においては、ＭＰＵ１７を車載用システムのコントローラとして機能させるためのプログラムをＲＯＭに予め格納してＲＡＭ等に展開して実施する場合について説明したが、これらのプログラムをハードディスクなどの外部記録装置に記録して起動したり、これらのプログラムを光ディスクなどのリムーバブル記録媒体に記録して、インストールするようにしたり、ネットワークを介してダウンロードし、インストールするように構成することも可能である。ダウンロードを行う場合には、実行のたびにダウンロードするようにすることも可能である。
【０１７７】
【発明の効果】
本発明の車載用情報装置によれば、情報処理装置に接続された近距離無線通信装置の制御および他の電子装置の制御を情報処理装置側で単一の制御ラインで容易に行える。
【図面の簡単な説明】
【図１】実施形態の車載用情報処理システムの概要構成ブロック図である。
【図２】車載用コンピュータの概要構成ブロック図である。
【図３】無線通信装置の概要構成ブロック図である。
【図４】車載用情報処理システムの概要機能ブロック図である。
【図５】実施形態のシーケンスフローチャート（その１）である。
【図６】実施形態のシーケンスフローチャート（その２）である。
【図７】実施形態のシーケンスフローチャート（その３）である。
【図８】実施形態のシーケンスフローチャート（その４）である。
【図９】送信側装置の処理フローチャートである。
【図１０】受信側装置の処理フローチャートである。
【符号の説明】
１０　車載用情報処理システム
１１　車載用コンピュータ（車載用情報処理装置）
１１Ａ　外部機器接続端子（外部機器制御端子）
１２　無線通信装置（無線端末装置）
１３　携帯電話端末装置
１３Ａ　無線通信ユニット
４１　電話制御部（電話制御コードデータ生成部、データ判別部、識別データ付加部、電話データ処理部）
４２　無線管理制御部
４３　データ送受信部（コード制御データ出力部、識別用データ除去部）
５１　データ送受信部（識別用データ除去部）
５２　無線通信部（送信部）
５３　無線制御部
【図１】
2004128645.tif 000003
【図２】
2004128645.tif 000004
【図３】
2004128645.tif 000005
【図４】
2004128645.tif 000006
【図５】
2004128645.tif 000007
【図６】
2004128645.tif 000008
【図７】
2004128645.tif 000009
【図８】
2004128645.tif 000010
【図９】
2004128645.tif 000011
【図１０】
2004128645.tif 000012